(57)【要約】【課題】両面記録再生ディスク装置において、片面用ディスクを使用する場合や両面用ディスクを片面のみ使用する場合は、使用しないもう一方の面への無駄なアクセス時間を削減して、操作性を向上することを目的とする。【解決手段】片面のみにアクセスする片面モードと、両面にアクセスする両面モードとを設け、片面モードを通常使用するモードに設定し、両面モードを使用する場合には、モード切換スイッチ１０で切換える構成とする。また、装置本体の電源投入時は片面モードで起動することで、使用しない一方の面への無駄なアクセス時間を削減することができる。【選択図】図１
2005129117.tif 000002
【特許請求の範囲】
【請求項１】
ディスク装置内でディスク状記録媒体の両面に記録再生を行うことができるディスク装置であって、前記ディスク装置に装着された前記ディスク状記録媒体の片面のみアクセスする片面モードと、
前記ディスク状記録媒体の両面にアクセスする両面モードと、
前記片面モードと両面モードとを切換える切換手段とを備え、
前記片面モードと前記両面モードを前記切換手段で切換えることができる  ことを特徴とするディスク装置。
【請求項２】
本装置内でディスク状記録媒体の両面に記録再生を行うことができ、かつ本装置に装着された前記ディスク状記録媒体の片面のみアクセスする片面モードと、前記ディスク状記録媒体の両面にアクセスする両面モードとに移行可能なディスク装置であって、前記ディスクの第１の面にアクセスする第１の光ピックアップと、前記ディスクの第２の面にアクセスする第２の光ピックアップと、前記片面モード及び両面モードに任意に切り換え操作可能な操作手段と、前記操作手段で切り換えられたモードに基づき前記第１及び第２の光ピックアップの動作制御を行う切換指令手段とを備え、前記操作手段で片面モードが選択された時は、前記切換指令手段は前記第１の光ピックアップのみを動作させ、両面モードが選択された時は前記切換指令手段は前記第１及び第２の光ピックアップを動作させることを特徴とするディスク装置。
【請求項３】
本装置内でディスク状記録媒体の両面に記録再生を行うことができ、かつ本装置に装着された前記ディスク状記録媒体の片面のみアクセスする片面モードと、前記ディスク状記録媒体の両面にアクセスする両面モードとに移行可能なディスク装置であって、前記ディスクの第１の面及び第２の面にアクセス可能な光ピックアップと、前記片面モード及び両面モードに任意に切り換え操作可能な操作手段と、前記操作手段で切り換えられたモードに基づき前記光ピックアップの動作制御を行う切換指令手段とを備え、前記操作手段で片面モードが選択された時は、前記切換指令手段は前記光ピックアップを前記ディスクの第一の面にアクセスさせ、両面モードが選択された時は前記切換指令手段は前記光ピックアップを前記ディスクの第一の面及び第二の面にアクセスさせることを特徴とするディスク装置。
【請求項４】
片面モードを通常使用するモードに設定することを特徴とする請求項１〜３記載のディスク装置。
【請求項５】
本装置の電源投入時は、片面モードとすることを特徴とする請求項１〜４記載のディスク装置。
【発明の詳細な説明】
【技術分野】
【０００１】
本発明はディスク状記録媒体（以下、ディスクと呼ぶ）に情報を記録するもしくは記録された情報を再生するディスク装置のうち特に両面記録再生可能なディスク装置に関するものである。
【背景技術】
【０００２】
近年、ディスク装置の分野では、ＤＶＤメディアへの記録再生ができるＤＶＤ記録再生装置の普及が著しい。ＤＶＤ記録再生装置の更なる普及と差別化のためにも、両面に記録再生可能なＤＶＤディスクをイジェクト動作を行うことなく両面連続記録再生できる両面記録再生ディスク装置が望まれている。
【０００３】
ところで、ディスクをディスク装置に装着した時、記録再生動作が行える状態になるまでにディスクのフォーマット状態や記録内容等を確認するための初期的なディスクの情報読込み（以降、初期読込みと呼ぶ）が必要である。従来の両面記録再生ディスク装置では、装着したディスクが両面用ディスクであるか片面用ディスクであるかに関わらず、ディスクの両面について初期読込みが行われる。よって、片面用ディスクを使用する場合に、使用しないもう一方の面への初期読込みが行われることになり、無駄なアクセス時間が増えて、操作性が悪くなる。
【０００４】
このような、片面用ディスクを装着した場合の使用しないもう一方の面への無駄なアクセスを防止するディスク装置として、例えば、特開平１−２９４２７０号公報に記載されたものが知られている。ここに記載されたディスク装置は、装着されたディスクが両面用であるか片面用であるかを判別し、片面用ディスクと判別された場合には、両面再生を禁止する構成をとっている。このディスク装置で採用している両面用ディスクと片面用ディスクの判別方法は、両面用と片面用とでディスクの外径が異なる場合にディスクの外径の違いで判別する方法と、片面用ディスクを２枚貼り合わせたディスクを両面用ディスクとして使用する場合にディスクを回転させたときの慣性モーメントの違いで判別する方法である。
【特許文献１】特開平１−２９４２７０号公報
【発明の開示】
【発明が解決しようとする課題】
【０００５】
しかしながら上記の従来のディスク装置における片面／両面ディスクの判別方法では、ＤＶＤ−ＲＡＭのように、両面用ディスクと片面用ディスクとで外径および重量が変わらない場合には、両面用か片面用かを判別できない。よって、片面用ディスクを装着した場合、使用しないもう一方の面（記録面の裏面）への初期読込みが行われることになり、無駄なアクセス時間が増え、操作性が悪くなるという問題点を有していた。
【０００６】
本発明は上記従来の問題点を解決するもので、両面記録再生ディスク装置において、片面用ディスクを使用する場合や両面用ディスクを片面だけ使用する場合に、使用しないもう一方の面への無駄なアクセス時間を削減し、操作性の良いディスク装置を提供することを目的とする。
【課題を解決するための手段】
【０００７】
この目的を達成するために本発明のディスク装置は、
ディスク装置内でディスク状記録媒体の両面に記録再生を行うことができるディスク装置であって、ディスク装置に装着されたディスク状記録媒体の片面のみアクセスする片面モードと
ディスク状記録媒体の両面にアクセスする両面モードと
モードを切換えるモード切換スイッチとを備え、
片面モードと両面モードをモード切換スイッチで切換えることができる構成を有している。
【０００８】
この構成によって、片面用ディスクを使用する場合や両面用ディスクを片面だけ使用する場合に、使用しないもう一方の面への無駄なアクセス時間を削減でき、操作性を良くできる。
【発明の効果】
【０００９】
以上のように本発明は、両面記録再生ディスク装置において、片面用ディスクを使用する場合や両面用ディスクを片面だけ使用する場合に、使用しないもう一方の面への無駄なアクセス時間を削減でき、操作性を良くすることができるという優れた効果が得られる。
【００１０】
また、不要な光ピックアップの移動などを無くすことができるため、消費電力を削減することができ、特に電池によって駆動するポータブル機器などでは連続使用時間を長くすることができるので、使い勝手が向上する。
【発明を実施するための最良の形態】
【００１１】
本発明の請求項１〜３に記載の発明は、ディスク装置内でディスク状記録媒体の両面に記録再生を行うことができるディスク装置であって、ディスク装置に装着されたディスク状記録媒体の片面のみアクセスする片面モードと、ディスク状記録媒体の両面にアクセスする両面モードと、モードを切換えるモード切換スイッチとを備え、片面モードと両面モードをモード切換スイッチで切換えることができることを特徴としたものであり、通常使用時は片面のみアクセスするモードに設定することにより、片面用ディスクを使用する場合や両面用ディスクを片面だけ使用する場合に、使用しないもう一方の面への無駄なアクセス時間を削減できるという作用を有する。
【００１２】
請求項４及び５に記載の発明は、片面モードを通常使用するモードに設定することを特徴としたものであり、一般にユーザーが使用する頻度の高い片面モードを通常使用するモードに設定することで、片面モードに切り換える手間が省け、操作性を良くすることができる。
【００１３】
以下、本発明の実施の形態について、図を用いて説明する。
【００１４】
（実施の形態１）
図１は本発明の実施の形態１におけるディスク装置のディスク装着時のフローチャート、図２は本発明の実施の形態１におけるディスク装置の構成を示すブロック図である。
【００１５】
図１と図２において、１はディスクをディスク装置に装着するディスク装着ステップ、２は後述するモード切換スイッチがＯＮになっているかＯＦＦになっているかを検出するモード切換ステップ、３は光ピックアップでディスクのＡ面の情報を読込むＡ面情報読込みステップ、４は光ピックアップでディスクのＢ面の情報を読込むＢ面情報読込みステップ、５と７はユーザーからの指令を待つ待機ステップ、６は光ピックアップでディスクのＡ面の情報を読込むＡ面情報読込みステップである。ここで、ディスクの「Ａ面」とは、ディスクを本装置に装着した時の、ディスクの下側の面に相当し、「Ｂ面」とはディスクの上側の面に相当する。
【００１６】
８はディスクで、ＤＶＤ−ＲＡＭの場合、カートリッジに収容されたディスクとカートリッジに収容されていないディスクがある。なお、本実施の形態ではＤＶＤ−ＲＡＭとしたが、これに限定されるものではない。９はディスク８を載置して回転するためのターンテーブルである。
【００１７】
１０はＡ面のみのアクセスを行う片面モードとＡ面とＢ面の両面へのアクセスを行う両面モードとを切換える切換手段であるモード切換スイッチで、例えば、ＤＶＤ−ＲＡＭドライブなどのディスク装置や、ディスク装置を遠隔操作するリモコン、あるいはディスプレイに表示される設定画面に設けられる。ディスク装置やリモコンに両面モード切換スイッチ１０が設けられる場合は、例えば押釦などの電気スイッチが使用できる。例えば、モード切換スイッチ１０がＯＮの時は両面モードになり、ＯＦＦの時は片面モードになるように設定する。本実施の形態では、ディスク装置の電源をＯＦＦからＯＮにした時は、モード切換スイッチ１０はＯＦＦとなっており本装置は片面モードになっている。この状態からモード切換スイッチ１０をＯＮにした時に、本装置が両面モードに切り替わる。両面モードに切り替わった状態からモード切換スイッチ１０をＯＦＦにすると片面モードに切り替わる。また、両面モードに切り替わった状態からディスク装置の電源がＯＦＦされ、再度電源ＯＮされると、モード切換スイッチ１０はＯＦＦとなっており本装置は片面モードで起動する。なお、モード切換スイッチ１０がＯＮの時に片面モードとし、ＯＦＦの時に両面モードとしてもよい。その場合は、以下の説明におけるＯＮの時とＯＦＦの時の動作は逆になる。また、モード切換スイッチ１０はＯＮとＯＦＦではなく、両面モードと片面モードという切換スイッチにしてもよい。その場合は、押釦スイッチで構成する他、二接点のスイッチで構成してもよい。
【００１８】
１１はモード切換スイッチ１０からの信号に応じてＡ面用の光ピックアップでＡ面にアクセスするかＢ面用の光ピックアップでＢ面にアクセスするかの指令を出すアクセス面切換指令部、１２はディスク８のＡ面側に対向する位置に設けられたＡ面に情報を記録再生するＡ面用光ピックアップ、１３はＡ面の半径方向に平行に設けられたガイドに沿ってＡ面用光ピックアップ１２を移動自在とするＡ面用光ピックアップ駆動手段、１４はディスク８のＢ面側に対向する位置に設けられたＢ面に情報を記録再生するＢ面用光ピックアップ、１５はＢ面の半径方向に平行に設けられたガイドに沿ってＢ面用光ピックアップ１４を移動自在とするＢ面用光ピックアップ駆動手段で、Ａ面用光ピックアップ駆動手段１３とＢ面用光ピックアップ駆動手段１５は、例えば、モータとギヤにより構成される。このように本実施の形態では、ディスク８のＡ面側とＢ面側に、それぞれ光ピックアップを備えている。
【００１９】
以上のように構成されたディスク装置について、図１と図２を用いてその動作を説明する。
【００２０】
まず、トレイ方式やスロットイン方式などでディスク装置内にディスク８が引き込まれ、ディスク装着ステップ１でディスク８が装着される。その後、モード切換ステップ２でモード切換スイッチ１０がＯＮになっているかＯＦＦになっているかの判別が行われる。
【００２１】
モード切換ステップ２で判別するタイミングは、ディスク８がターンテーブル９に載置される前でも、ディスク８がターンテーブル９に載置された後で図示しないクランパによってクランプされる前でも、図示しないクランパによってクランプされた後でもよい。少なくとも、本装置内にディスク８が装着されてから、Ａ面用光ピックアップ１２がＡ面の初期情報を読み出し可能な位置まで到達して読込みを開始するまでの間に判別を行えばよい。
【００２２】
モード切換ステップ２で「モード切換スイッチ１０がＯＮになっている」と判別された場合には、Ａ面情報読込みステップ３に進み、アクセス面切換指令部１１によりＡ面用光ピックアップ駆動手段１３に信号が伝達され、Ａ面の記録再生する位置にＡ面用光ピックアップ１２を移動させ、Ａ面の情報がＡ面用光ピックアップ１２で読込まれる。その後、Ｂ面情報読込みステップ４に進み、アクセス面切換指令部１１によりＢ面用光ピックアップ駆動手段１５に信号が伝達され、Ｂ面の記録再生する位置にＢ面用光ピックアップ１４を移動させ、Ｂ面の情報がＢ面用光ピックアップ１４で読込まれる。そして、待機ステップ５に進み、待機状態となる。待機ステップ５の状態は両面モードであり、以降、両面にアクセスできる。
【００２３】
なお、両面モードの状態からモード切換スイッチ１０がＯＦＦされて片面モードに切り替わった場合は、以降、Ａ面のみにアクセスする状態になる。片面モードに切り替わった時点で、既にＡ面の初期情報が読込まれている場合には、Ａ面の初期情報を読込む動作は行わずに、待機状態になる。片面モードに切り替わった時点で、Ａ面の初期情報が読込まれていない場合には、Ａ面の初期情報を読込む動作を行った後、待機状態になる。
【００２４】
一方、モード切換ステップ２でモード切換スイッチ１０がＯＦＦになっていると判別された場合には、Ａ面情報読込みステップ６に進み、アクセス面切換指令部１１によりＡ面用光ピックアップ駆動手段１３に信号が伝達され、Ａ面の記録再生する位置にＡ面用光ピックアップ１２を移動させ、Ａ面の情報がＡ面用光ピックアップ１２で読込まれる。その後、待機ステップ７に進み、待機状態となる。待機ステップ７の状態は、片面モードであり、以降、Ａ面のみにアクセスできる。
【００２５】
なお、片面モードの状態からモード切換スイッチ１０がＯＮされて両面モードに切り替わった場合は、以降、両面にアクセスできる状態になる。両面モードに切り替わった時点で、既にＡ面とＢ面の初期情報が読込まれている場合には、Ａ面とＢ面の初期情報を読込む動作は行わずに、待機状態になる。両面モードに切り替わった時点で、Ａ面とＢ面のうち少なくとも一方の面の初期情報が読込まれていない場合には、読み込まれていない面の初期情報を読込む動作を行った後、待機状態になる。
【００２６】
以上のように本実施の形態１によれば、ターンテーブル９と、Ａ面用光ピックアップ１２とＢ面用光ピックアップ１４が設けられ、モード切換スイッチ１０がＯＦＦの場合には、つまり通常使用時には、アクセス面切換指令部１１によって、Ａ面のみにＡ面用光ピックアップ１２でアクセスを行うように指令され、モード切換スイッチ１０がＯＮされている場合には、アクセス面切換指令部１１によって、Ａ面とＢ面の両面にＡ面用光ピックアップ１２とＢ面用光ピックアップ１４でそれぞれアクセスを行うように指令されることで、通常使用する片面モードでは、片面用ディスクを使用する場合や両面用ディスクを片面のみ使用する場合は、使用しないもう一方の面（片面ディスクの場合は、記録面の裏面）への無駄なアクセス時間を削減することができ、また、両面モードでは、Ａ面用とＢ面用の２つの光ピックアップによってアクセスすることで、Ａ面とＢ面との間の切換を素早く行うことができ、操作性を良くすることができる。
【００２７】
なお、本実施の形態では図１に示すように、モード切換スイッチ１０の判別（ステップ２）を行ってから、Ａ面情報の読み込み（ステップ３及び６）を行う構成としたが、図３に示すように、Ａ面情報の読み込み（ステップ３ａ）を行ってからモード切換スイッチ１０の判別（ステップ２ａ）を行う動作としてもよい。その際は、ディスク８のＡ面情報を読み込む動作が終了後、すぐにモード切換スイッチ判別動作に移行する。
【００２８】
（実施の形態２）
図４は本発明の実施の形態２におけるディスク装置の構成を示すブロック図であり、同図において実施の形態１と同一の構成要素には同一番号を付与し説明を省略する。
【００２９】
図４において図２の構成と異なるのは、１６はＡ面及びＢ面に情報を記録再生する光ピックアップ、１７は光ピックアップ１６をＡ面及びＢ面の半径方向に平行に設けられたガイドに沿って移動自在とする光ピックアップ駆動手段で、例えば、モータとギヤによって構成される。１８は光ピックアップ１６及び光ピックアップ駆動手段１７を共にＡ面に対向してＡ面の記録再生を行える位置、あるいはＢ面に対向してＢ面の記録再生を行える位置に移動させる光ピックアップＡＢ面移動手段で、例えば、モータとギヤによって構成される。つまり、実施の形態１の構成とことなるのは、実施の形態１がＡ面側とＢ面側にそれぞれ光ピックアップなどの手段を配していたのに対して、本実施の形態では光ピックアップ１６などの手段は一つとし、Ａ面側及びＢ面側に移動可能として、Ａ面側及びＢ面側の両方にアクセス可能にしたものである。なお、光ピックアップ１６のＡ面側及びＢ面側への移動方法は、光ピックアップをディスクの半径方向にディスクの最外周部の外側まで移動して、１８０°反転した後、他方の面側に移動する構成としてもよいし、光ピックアップ１６は半径方向の最内周から最外周まで直線的に移動する構成とし、ディスク８を表裏反転するように動作させる構成としてもよい。
【００３０】
以上のように構成されたディスク装置について、図１と図４を用いてその動作を説明する。
【００３１】
まず、ディスク装置内にディスク８が引き込まれ、ディスク装着ステップ１でディスク８が装着される。その後、モード切換ステップ２でモード切換スイッチ１０がＯＮになっているかＯＦＦになっているかの判別が行われる。モード切換ステップ２では、実施の形態１と同様な方法とタイミングでモード切換スイッチ１０の状態の判別を行う。
【００３２】
モード切換ステップ２でモード切換スイッチ１０がＯＮになっていると判別された場合には、Ａ面情報読込みステップ３に進み、アクセス面切換指令部１１により光ピックアップＡＢ面移動手段１８に信号が伝達され、Ａ面に対向する位置にＡ面の半径方向に平行に設けられたガイド部に光ピックアップ１６及び光ピックアップ駆動手段１７を共に移動させる。そして、光ピックアップ駆動手段１７はＡ面の記録再生する位置に光ピックアップ１６を移動させ、Ａ面の情報が光ピックアップで読込まれる。
【００３３】
その後、Ｂ面情報読込みステップ４に進み、アクセス面切換指令部１１により光ピックアップＡＢ面移動手段１８に信号が伝達され、Ｂ面に対向する位置にＢ面の半径方向に平行に設けられたガイド部に光ピックアップ１６及び光ピックアップ駆動手段１７を共に移動させる。そして、光ピックアップ駆動手段１７はＢ面の記録再生する位置に光ピックアップ１６を移動させ、Ｂ面の情報が光ピックアップで読込まれる。そして、待機ステップ５に進み、待機状態となる。待機ステップ５の状態は、両面モードであり、以降、アクセス面切換指令部１１の指令によって光ピックアップＡＢ面移動手段１８が光ピックアップ１６と光ピックアップ駆動手段１７をＡ面側あるいはＢ面側に移動することで、両面にアクセスできる。
【００３４】
なお、両面モードの状態からモード切換スイッチ１０がＯＦＦされて片面モードに切り替わった場合は、以降、Ａ面のみアクセスする状態になる。つまり、アクセス面切換指令部１１の指令によって光ピックアップＡＢ面移動手段１８が光ピックアップ１６と光ピックアップ駆動手段１７をＡ面側に移動して、Ａ面のみにアクセスする状態になる。片面モードに切り替わった時点で、既にＡ面の初期情報が読込まれている場合には、Ａ面の初期情報を読込む動作は行わずに、待機状態になる。片面モードに切り替わった時点で、Ａ面の初期情報が読込まれていない場合には、Ａ面の初期情報を読込む動作を行った後、待機状態になる。
【００３５】
一方、モード切換ステップ２でモード切換スイッチ１０がＯＦＦになっていると判別された場合には、Ａ面情報読込みステップ６に進み、アクセス面切換指令部１１により光ピックアップＡＢ面移動手段１８に信号が伝達され、Ａ面に対向する位置にＡ面の半径方向に平行に設けられたガイド部に光ピックアップ１６及び光ピックアップ駆動手段１７を共に移動させる。そして、光ピックアップ駆動手段１７はＡ面の記録再生する位置に光ピックアップ１６を移動させ、Ａ面の情報が光ピックアップで読込まれる。その後、待機ステップ７に進み、待機状態となる。待機ステップ７の状態は、片面モードであり、以降、Ａ面のみにアクセスできる。
【００３６】
なお、片面モードの状態からモード切換スイッチ１０がＯＮされて両面モードに切り替わった場合は、以降、両面にアクセスできる状態になる。両面モードに切り替わった時点で、既にＡ面とＢ面の初期情報が読込まれている場合には、Ａ面とＢ面の初期情報を読込む動作は行わずに、待機状態になる。両面モードに切り替わった時点で、Ａ面とＢ面のうち少なくとも一方の面の初期情報が読込まれていない場合には、読み込まれていない面の初期情報を読込む動作を行った後、待機状態になる。
【００３７】
以上のように本実施の形態２によれば、光ピックアップＡＢ面移動手段１８を設けて、１組の光ピックアップ１６と光ピックアップ駆動手段１７をＡ面側あるいはＢ面側に移動させることでＡ面とＢ面へのアクセスを行う構成において、モード切換スイッチ１０がＯＦＦの場合には、つまり通常使用時には、アクセス面切換指令部１１によって、Ａ面のみにアクセスを行うように指令され、モード切換スイッチ１０がＯＮされている場合には、アクセス面切換指令部１１によって、Ａ面とＢ面の両面にアクセスを行うように指令されることによって、通常使用する片面モードにおいて、片面用ディスクを使用する場合や両面用ディスクを片面のみ使用する場合に、光ピックアップＡＢ面移動手段１８によって光ピックアップ１６と光ピックアップ駆動手段１７をＢ面に移動する時間とＢ面にアクセスする時間を削除でき、操作性を良くすることができる。
【００３８】
なお、実施の形態１と同様に本実施の形態においても、図１に示すように、モード切換スイッチ１０の判別（ステップ２）を行ってから、Ａ面情報の読み込み（ステップ３及び６）を行う構成としたが、図３に示すように、Ａ面情報の読み込み（ステップ３ａ）を行ってからモード切換スイッチ１０の判別（ステップ２ａ）を行う動作としてもよい。その際は、ディスク８のＡ面情報を読み込む動作が終了後、すぐにモード切換スイッチ判別動作に移行する。
【００３９】
なお、本発明は上記した実施の形態に限定されるものではない。
【産業上の利用可能性】
【００４０】
本発明にかかるディスク装置は、
片面のみにアクセスする片面モードと両面にアクセスする両面モードを設け、片面モードを通常使用するモードに設定し、両面モードに切換える場合にはモード切換スイッチで切換える構成をとることによって、片面用ディスクを使用する場合や両面用ディスクを片面のみ使用する場合は、使用しないもう一方の面への無駄なアクセス時間を削減し、操作性を向上させることが必要な用途にも適用できる。
【図面の簡単な説明】
【００４１】
【図１】本発明の実施の形態１におけるディスク装置のディスク装着時のフローチャート
【図２】本発明の実施の形態１におけるディスク装置の構成を示すブロック図
【図３】本発明の実施の形態１におけるディスク装置のディスク装着時のフローチャート
【図４】本発明の実施の形態２におけるディスク装置の構成を示すブロック図
【符号の説明】
【００４２】
１    ディスク装着ステップ
２    モード切換ステップ
３    Ａ面情報読込みステップ
４    Ｂ面情報読込みステップ
５    待機ステップ
６    Ａ面情報読込みステップ
７    待機ステップ
８    ディスク
９    ターンテーブル
１０    モード切換スイッチ
１１    アクセス面切換指令部
１２    Ａ面用光ピックアップ
１３    Ａ面用光ピックアップ駆動手段
１４    Ｂ面用光ピックアップ
１５    Ｂ面用光ピックアップ駆動手段
１６    光ピックアップ
１７    光ピックアップ駆動手段
１８    光ピックアップＡＢ面移動手段
【図１】
2005129117.tif 000003
【図２】
2005129117.tif 000004
【図３】
2005129117.tif 000005
【図４】
2005129117.tif 000006